(57)【特許請求の範囲】
【請求項１】
吸気口と排気口を有する本体ケースと、この本体ケース内に設けた空気清浄手段と、前記吸気口から室内の空気を前記空気清浄手段を介して前記本体ケース内に吸気し、前記排気口より室内に排気する風路に送風手段を備え、前記吸気口は前記本体ケースの少なくとも１側面に設けた第１の吸気口と、前記本体ケースの前面下部に設けた第２の吸気口とから形成し、前記本体ケースの前面に前面化粧板を設け、この前面化粧板を上下動させることで、前記第１の吸気口、前記第２の吸気口の開口面積のうち少なくとも前記第２の吸気口の開口面積を可変する構成とし、前面化粧板と、前記空気清浄手段との間に風向板を設け、この風向板は、前記前面化粧板が駆動手段により最上点に位置する場合には、前記前面化粧板より下に位置し、前記風向板の色は、前記前面化粧板の色とは異なる色であることを特徴とする空気清浄装置。
【請求項２】
前面化粧板を上下前後動させることで、前記第１の吸気口および前記第２の吸気口の開口面積を可変する構成とした請求項１記載の空気清浄装置。
【請求項３】
前面化粧板を上下前後動させる駆動手段は、軸部と、この軸部の一端を中心に他端が上下に回動するように前記軸部の前記一端側に設けた回動手段とから形成し、前記軸部の前記他端側に前記前面化粧板を設けた請求項１または２記載の空気清浄装置。
【請求項４】
前面化粧板が前記駆動手段により最下点に位置する場合、前記第１の吸気口の開口面積は小開口状態で、前記第２の吸気口の開口面積は小開口状態となる請求項１〜３のいずれかに記載の空気清浄装置。
【請求項５】
前面化粧板が前記駆動手段により中間点に位置する場合、前記第１の吸気口の開口面積は大開口状態で、前記第２の吸気口の開口面積は中開口状態となる請求項１〜４のいずれかに記載の空気清浄装置。
【請求項６】
前面化粧板が前記駆動手段により最上点に位置する場合、前記第１の吸気口の開口面積は中開口状態で、前記第２の吸気口の開口面積は大開口状態となる請求項１〜５のいずれかに記載の空気清浄装置。
【請求項７】
風向板は下端より上端が前記空気清浄手段に近接するように傾斜した請求項１記載の空気清浄装置。
【請求項８】
前面化粧板と前記駆動手段の前記軸部の他端とは着脱可能である着脱手段を備えた請求項１〜７のいずれかに記載の空気清浄装置。
【請求項９】
着脱手段は前記前面化粧板に鉄板部を設け、前記軸部の他端に磁石部を設けた請求項８記載の空気清浄装置。
【請求項１０】
空気清浄手段は、蛇腹形状に折られた集塵フィルターで、この集塵フィルターの折り目は水平方向である請求項１〜９のいずれかに記載の空気清浄装置。
【請求項１１】
空気清浄手段と前記送風手段の間の風路に加湿手段を備えた請求項１〜１０のいずれかに記載の加湿機能付空気清浄装置。
【発明の詳細な説明】
【技術分野】
【０００１】
本発明は、空気を浄化することのできる空気清浄装置と、空気を浄化しながら加湿することのできる加湿機能付空気清浄装置に関する。
【背景技術】
【０００２】
従来、この種の加湿機能付空気清浄装置の構成は以下のようになっていた。
【０００３】
すなわち、吸気口と排気口を有する本体ケースと、この本体ケース内に設けた空気清浄手段と、前記吸気口から室内の空気を前記空気清浄手段を介して前記本体ケース内に吸気し、前記排気口より室内に排気する風路に送風手段を備えた構成となっていた。
【０００４】
例えば、これに類似する先行文献は下記特許文献１に記載されている。
【先行技術文献】
【特許文献】
【０００５】
【特許文献１】特開２００８−２５８９８号公報
【発明の概要】
【発明が解決しようとする課題】
【０００６】
上記従来例における課題は、運転状態を目視で確認することが困難であるため、使用感が悪いということであった。
【０００７】
すなわち、従来の物においては本体操作パネルに表示される運転表示ランプ等により運転状態、つまり運転ノッチが弱運転なのか、強運転なのかを確認することが可能であった。
【０００８】
しかし、離れた場所から運転表示ランプを目視で確認することが困難な場合があり、使用感が悪いものであった。
【０００９】
そこで本発明は、運転状態を目視で容易に確認できることで使用感の向上を目的とするものである。
【課題を解決するための手段】
【００１０】
そしてこの目的を達成するために本発明は、吸気口と排気口を有する本体ケースと、この本体ケース内に設けた空気清浄手段と、前記吸気口から室内の空気を前記空気清浄手段を介して前記本体ケース内に吸気し、前記排気口より室内に排気する風路に送風手段を備え、前記吸気口は前記本体ケースの少なくとも１側面に設けた第１の吸気口と、前記本体ケースの前面下部に設けた第２の吸気口とから形成し、前記本体ケースの前面に前面化粧板を設け、この前面化粧板を上下動させることで、前記第１の吸気口、前記第２の吸気口の開口面積のうち少なくとも前記第２の吸気口の開口面積を可変する構成とし、前面化粧板と、前記空気清浄手段との間に風向板を設け、この風向板は、前記前面化粧板が駆動手段により最上点に位置する場合には、前記前面化粧板より下に位置し、前記風向板の色は、前記前面化粧板の色とは異なる色であることを特徴とした。
【００１１】
これにより、初期の目的を達成するものである。
【発明の効果】
【００１２】
以上のように本発明は、吸気口と排気口を有する本体ケースと、この本体ケース内に設けた空気清浄手段と、前記吸気口から室内の空気を前記空気清浄手段を介して前記本体ケース内に吸気し、前記排気口より室内に排気する風路に送風手段を備え、前記吸気口は前記本体ケースの少なくとも１側面に設けた第１の吸気口と、前記本体ケースの前面下部に設けた第２の吸気口とから形成し、前記本体ケースの前面に前面化粧板を設け、この前面化粧板を上下動させることで、前記第１の吸気口、前記第２の吸気口の開口面積のうち少なくとも前記第２の吸気口の開口面積を可変する構成とし、前面化粧板と、前記空気清浄手段との間に風向板を設け、この風向板は、前記前面化粧板が駆動手段により最上点に位置する場合には、前記前面化粧板より下に位置し、前記風向板の色は、前記前面化粧板の色とは異なる色であることを特徴としたものであり、前面化粧板によって吸込口の風量調整ができるものである。
【００１３】
すなわち、前面化粧板を上下動させることで、第１の吸気口、第２の吸気口の開口面積のうち少なくとも第２の吸気口の開口面積を可変し、吸込口の風量調整ができるものである。つまり、前面化粧板が上下動することにより風量が変化するので、上下動する前面化粧板の位置によって運転状態を目視で確認することができるものである。また、前面化粧板が駆動手段により最上点に位置する場合には、風向板のほぼ全体が第２の吸気口である開口から現れ、使用者の目線からは見えるものである。すなわち、前面化粧板が駆動手段により中間点、または最上点に位置する運転状態によっては、風向板の見え方が異なるので、風向板の見え方によって運転状態を目視で容易に確認できるものである。また、風向板の色は、前面化粧板の色とは異なる色であるので、風向板の見え方によって運転状態を目視で更に容易に確認できるものである。
【００１４】
これらの結果により、運転状態を目視で容易に確認できることで使用感を向上することができるものである。
【図面の簡単な説明】
【００１５】
【図１】本発明の実施の形態１の加湿機能付空気清浄装置の概略図
【図２】本発明の実施の形態１の加湿機能付空気清浄装置の概略断面図
【図３】本発明の実施の形態１の前面化粧板の開口状態図
【図４】本発明の実施の形態１の前面化粧板の開口状態図
【図５】本発明の実施の形態１の前面化粧板の開口状態図
【図６】本発明の実施の形態１の着脱手段の概略図
【発明を実施するための形態】
【００１６】
以下、本実施形態を添付図面を用いて説明する。
【００１７】
（実施の形態１）
図１および図２に示すように、本実施形態の加湿機能付空気清浄装置は、吸気口１と排気口２を有する本体ケース３と、この本体ケース３内に設けた空気清浄手段４と、この空気清浄手段４の下流側に加湿手段５とを備えている。
【００１８】
吸気口１は、本体ケース３の両側面に設けた第１の吸気口１ａと、本体ケース３の前面下部に設けた第２の吸気口１ｂとから形成され、排気口２は、本体ケース３の上面に設けている。
【００１９】
空気清浄手段４は縦長箱形状の空気清浄フィルター４ａで、濾材が蛇腹形状に折られたものであり、第１の吸気口１ａおよび第２の吸気口１ｂの風路風下側で、前面化粧板７に対向する位置に設けている。
【００２０】
加湿手段５は、空気清浄手段４の風路風下側に設けており、一定量の水が溜まった略椀形状の水槽５ａと、この水槽５ａの水に周縁部の一部が常に浸漬した円板状の加湿フィルター部５ｂと、この加湿フィルター部５ｂを固定し外周部に給水部５ｃを備えた略円環形状の加湿フィルター枠部５ｄと、この加湿フィルター枠部５ｄを回転させる回転手段とから形成されている。
【００２１】
このような構成における空気清浄および、加湿動作について説明する。
【００２２】
水タンク５ｅより水槽５ａに常時一定の水位となるように水が供給される。この水に加湿手段の加湿フィルター枠部５ｄである給水部５ｃと加湿フィルター部５ｂの一部が常時浸かった状態となる。ここで回転手段によって加湿フィルター枠部５ｄを回転させることで、水を汲んだ給水部５ｃと加湿フィルター部５ｂが回転し、給水部５ｃによって汲み上げられた水が頂上付近で滴り落ち、加湿フィルター部５ｂを湿らせる。つまり回転手段により加湿フィルター枠部５ｄを回転させ続けることで加湿フィルター部５ｂは常時水を保持した状態に保たれる。
【００２３】
ここで、送風手段６を動かすことにより、第１の吸気口１ａおよび第２の吸気口１ｂから本体ケース３内に空気が吸い込まれ、その後空気は本体ケース３内に備えられた空気清浄フィルター４ａと水を保持した状態の加湿フィルター部５ｂとを通過し加湿清浄空気となり、排気口２から室内に排出される。
【００２４】
本実施形態における特徴は、第１の吸気口１ａ、および第２の吸気口１ｂの開口面積を変化させる点にある。具体的には、本体ケース３の前面に所定の距離を有し設けた前面化粧板７と、この前面化粧板７を本体ケース３との距離を変えながら上下前後に移動させる複数の駆動手段８とを設け、前面化粧板７と本体ケース３との距離を変える、つまり前後に移動させることにより第１の吸気口１ａの開口面積を変化させ、前面化粧板７を前後上下に移動させることにより第２の吸気口１ｂの開口面積を変化させるものである。
【００２５】
すなわち、前面化粧板７を上下前後動させることで、第１の吸気口１ａ、第２の吸気口１ｂの開口面積を可変し、吸気口１の風量調整ができるものである。つまり、前面化粧板７が上下前後動することにより風量が変化するので、上下前後動する前面化粧板７の位置によって運転状態を目視で確認することができるものである。
【００２６】
これらの結果により、運転状態を目視で容易に確認できることで使用感の向上ができるものである。
【００２７】
具体的には、本体ケース３の前面の中央部から下部にかけて平板形状の前面化粧板７を設け、この前面化粧板７から所定の距離を有し前面化粧板７に平行に空気清浄手段４である縦長四角形状の空気清浄フィルター４ａを本体内の前面部に設けている。本体ケース３の２つの第１の吸気口１ａは前面化粧板７と空気清浄フィルター４ａとの間の両側面に位置し、縦長四角形状で高さ寸法は空気清浄フィルター４ａの高さとほぼ同じ長さで、本体ケース３の前後方向である前後寸法は、前面化粧板７と空気清浄フィルター４ａとの距離とほぼ同じである。
【００２８】
すなわち、前面化粧板７は第１の吸気口１ａの一部を兼ねており、前面化粧板７と空気清浄フィルター４ａとの距離を変えることにより第１の吸気口１ａの前後寸法を変化させることとなり、開口面積を変えることができるものである。
【００２９】
また、前面化粧板７を上に移動させることにより前面化粧板７の下部に開口が現れ、この開口が第２の吸気口１ｂとなる。第２の吸気口１ｂは前面化粧板７の下部に位置し、横長四角形状で、本体ケース３の左右方向である左右寸法は前面化粧板７の左右寸法とほぼ同じ寸法であり、高さ寸法は前面化粧板７が上に移動した距離となる。
【００３０】
すなわち、前面化粧板７は第２の吸気口１ｂの一部を兼ねており、前面化粧板７の上下移動の距離を変えることにより第２の吸気口１ｂの上下寸法を変化させることとなり、開口面積を変えることができるものである。
【００３１】
このように前面化粧板７を空気清浄フィルター４ａとの距離を変えながら上下に移動させるために複数の駆動手段８を設けている。この駆動手段８は、棒状の軸部８ａと、この軸部８ａの一端を中心に他端が上下に回動するように軸部８ａの一端側に設けた回動手段８ｂとから形成し、この軸部の他端には前面化粧板７を設けている。回動手段８ｂの一例はステッピングモーターである。
【００３２】
すなわち、この回動手段８ｂが軸部８ａの一端を中心に他端を上下に回動することにより、他端に設けられた前面化粧板７は、回動手段８ｂの軸部８ａの一端を中心に軸部８ａの長さを半径とした円弧上を前面化粧板７が動くので、前面化粧板７は空気清浄フィルター４ａとの距離を変えながら上下に移動することとなり、１枚の前面化粧板７によって３箇所の吸気口１の風量調整ができるものである。
【００３３】
なお、駆動手段８は前面化粧板７の四隅に設け、そのうち少なくとも１箇所には回動手段８ｂであるステッピングモーターを設け、他の箇所の回動手段８ｂは単に、軸部８ａの一端を回転自在に設置可能な回転軸部でも良い。
【００３４】
以上の構成で、前面化粧板による３箇所の吸込口の風量調整について詳しく説明する。
【００３５】
図３に示すように、まず、前面化粧板７が駆動手段８により最下点に位置する場合、第１の吸気口１ａの開口面積は小開口状態で、第２の吸気口１ｂの開口面積は小開口状態で、となるものである。具体的には、回動手段８ｂが軸部８ａの一端を中心に軸部８ａを回動させ、軸部８ａの一端を中心に下方向に軸部８ａが傾斜することにより、軸部８ａの他端に設けた前面化粧板７が最下点に位置するものである。
【００３６】
すなわち、第１の吸気口１ａの開口面積は、縦長四角形状の高さ寸法は空気清浄フィルター４ａの高さとほぼ同じ長さで、前後寸法は前面化粧板７と空気清浄フィルター４ａとの距離とほぼ同じ長さである小開口状態で、第２の吸気口１ｂの開口面積は、横長四角形状の左右寸法は空気清浄フィルター４ａの左右寸法とほぼ同じ長さで、前後寸法は前面化粧板７と空気清浄フィルター４ａとの距離とほぼ同じ長さである小開口状態となる。
【００３７】
このように、本体ケースの両側面に設けた２つの第１の吸気口１ａおよび第２の吸気口１ｂから吸込む風量を、弱程度に調整することができる。この状態では、室内の上下方向の下部から中央部の空気を弱程度の風量で吸い込み、空気清浄および加湿処理ができるものである。ここで、前面化粧板７は、本体ケース３前面とほぼ同一平面状、つまり本体ケース３前面と段差のない状態であるので、前面化粧板７の位置によって運転状態を目視で確認することができる。
【００３８】
次に図４に示すように、前面化粧板７が駆動手段８により中間点に位置する場合、第１の吸気口１ａの開口面積は大開口状態で、第２の吸気口１ｂの開口面積は中開口状態となるものである。具体的には、回動手段８ｂが軸部８ａの一端を中心に軸部８ａを回動させ、軸部８ａの他端に設けた前面化粧板７を軸部８ａが略水平にすることにより、軸部８ａの他端に設けた前面化粧板７が中間点に位置するものである。
【００３９】
すなわち、第１の吸気口１ａの開口面積は小開口状態から更に縦長四角形状の前後寸法は前面化粧板７が空気清浄フィルター４ａから離れた距離、つまり、軸部のほぼ長さ分増えた大開口状態で、第２の吸気口１ｂの開口面積は横長四角形状の左右寸法は前面化粧板７の左右寸法とほぼ同じ寸法であり、高さ寸法は前面化粧板７が上に移動した距離、つまり軸部８ａのほぼ長さ分開口した中開口状態となる。
【００４０】
このように、本体ケース３の両側面に設けた２つの第１の吸気口１ａからの吸込む風量を強程度に、本体ケース３の前面下部に設けた第２の吸気口１ｂから吸込む風量を中程度に調整することができる。この状態では、室内の上下方向の下部から中央部の空気を強程度の風量で吸い込み、空気清浄および加湿処理ができるものである。ここで、前面化粧板７が駆動手段８により最下点に位置する場合より、前面化粧板７は、本体ケース３前面から前および上方向に移動しているので、本体ケース３前面と段差が発生し、第２の吸気口１ｂが現れるので、前面化粧板７の位置によって運転状態を目視で確認することができる。
【００４１】
更に図５に示すように、前面化粧板７が駆動手段８により最上点に位置する場合、第１の吸気口１ａの開口面積は中開口状態で、第２の吸気口１ｂの開口面積は大開口状態となるものである。具体的には、回動手段８ｂが軸部８ａの一端を中心に軸部８ａを回動させ、軸部８ａの一端を中心に上方向に軸部８ａが傾斜することにより、軸部８ａの他端に設けた前面化粧板が最上点に位置するものである。
【００４２】
すなわち、第１の吸気口１ａの開口面積は縦長四角形状の高さ寸法は空気清浄フィルター４ａの高さとほぼ同じ長さで、前後寸法は前面化粧板７と空気清浄フィルター４ａとの距離は軸部８ａが上方向に傾斜する分、大開口状態に比べ短い中開口状態で、第２の吸気口１ｂの開口面積は横長四角形状の左右寸法は前面化粧板７の左右寸法とほぼ同じ寸法であり、高さ寸法は前面化粧板７が上に移動した距離、つまり軸部８ａが上方向に傾斜する分、中開口状態より開口した大開口状態となる。
【００４３】
このように、本体ケース３の両側面に設けた２つの第１の吸気口１ａから吸込む風量を中程度に、本体ケース３の前面下部に設けた第２の吸気口１ｂから吸込む風量を強程度に調整することができる。この状態では、主に室内の床上部の空気を強程度の風量で吸い込み、空気清浄および加湿処理ができるものである。ここで、前面化粧板７が駆動手段８により中間点に位置する場合より、前面化粧板７は、本体ケース３前面から上および後ろ方向に移動しているので、本体ケース３前面との段差は小さくなり、第２の吸気口１ｂが更に大きく現れるので、前面化粧板７の位置によって運転状態を目視で確認することができる。
【００４４】
また、前面化粧板７と、空気清浄手段との間に風向板を設け、この風向板は、前面化粧板が駆動手段により最上点に位置する場合には、前面化粧板より下に位置する構成である。この風向板９の色は、前面化粧板７の色とは異なる色である。
【００４５】
このように、第２の吸気口１ｂに板状の風向板９を設けることによって、前面化粧板７が最上点に移動することにより第２の吸気口１ｂである開口が現れるが、この風向板９によって空気清浄手段４である空気清浄フィルター４ａが隠れるので、デザイン性が向上する。また、前面化粧板７が駆動手段８により最下点に位置する場合には、風向板９は前面化粧板７の下部から現れず、前面化粧板７が駆動手段８により中間点に位置する場合には、風向板９の一部が第２の吸気口１ｂである開口から現れるが、使用者の目線からは見え難く、前面化粧板７が駆動手段８により最上点に位置する場合には、風向板９のほぼ全体が第２の吸気口１ｂである開口から現れ、使用者の目線からは見えるものである。すなわち、前面化粧板７が駆動手段８により中間点、または最上点に位置する運転状態によっては、風向板９の見え方が異なるので、風向板９の見え方によって運転状態を目視で容易に確認できるものである。また、風向板９の色は、前面化粧板７の色とは異なる色であるので、風向板９の見え方によって運転状態を目視で更に容易に確認できるものである。
【００４６】
また、風向板９は下端より上端が空気清浄手段４に近接するように傾斜したものである。具体的には、風向板９は横長四角形状の板状で、下端より上端が空気清浄手段４に近接するように傾斜している。すなわち、本体ケース３の前面下部に設けた第２の吸気口１ｂから吸い込まれた空気の一部は、第２の吸気口１ｂに対向した空気清浄フィルター４ａ部分から吸い込まれずに、第２の吸気口１ｂの上部に位置する空気清浄フィルター４ａ部分から吸い込まれることとなり、風量を増加させることができる。
【００４７】
また、図６に示すように、前面化粧板７と駆動手段８の軸部８ａの他端とは着脱可能である着脱手段１０を備えたものである。すなわち、前面化粧板７は駆動手段８の軸部８ａとは着脱可能なので、前面化粧板７を外すことによって、空気清浄手段４である空気清浄フィルター４ａが着脱可能となり、空気清浄フィルター４ａのメンテナンスが容易に行うことができる。
【００４８】
また、着脱手段１０は前面化粧板７に鉄板部７ａを設け、軸部８ａの他端に磁石部８ｃを設けたものである。具体的には、軸部８ａの他端に半円形状の磁石部８ｃを設け、この半円形状の磁石部８ｃを覆うように略Ｃ形状の鉄板部７ａを前面化粧板７に備えたものである。これにより、磁石部８ｃが略Ｃ形状の鉄板部７ａを磁力により可動自在に吸着するので、前面化粧板７は駆動手段８の軸部８ａとは着脱可能、つまり前面化粧板７を外すことによって、空気清浄手段４である空気清浄フィルター４ａが着脱可能となり、空気清浄フィルター４ａのメンテナンスが容易に行うことができる。
【００４９】
また、空気清浄手段４は、蛇腹形状に折られた集塵フィルター４ｂで、この集塵フィルター４ｂの折り目は水平方向である。このように、集塵フィルター４ｂの折り目を水平方向にすることによって、本体ケース３の両側面に設けた２つの第１の吸気口１ａからの吸込た空気が集塵フィルター４ｂに達するまでの空気の流れは、ほぼ水平方向となる。
【００５０】
すなわち、空気の流れと集塵フィルター４ｂの折り目とが平行となるので、集塵フィルター４ｂへ流れ込む風路抵抗が小さくなり、結果として、本体ケース３の両側面に設けた２つの第１の吸気口１ａからの吸込風量を増加することが出来る。
【産業上の利用可能性】
【００５１】
以上のように本発明は、吸気口と排気口を有する本体ケースと、この本体ケース内に設けた空気清浄手段と、前記吸気口から室内の空気を前記空気清浄手段を介して前記本体ケース内に吸気し、前記排気口より室内に排気する風路に送風手段を備え、前記吸気口は前記本体ケースの少なくとも１側面に設けた第１の吸気口と、前記本体ケースの前面下部に設けた第２の吸気口とから形成し、前記本体ケースの前面に前面化粧板を設け、この前面化粧板を上下動させることで、前記第１の吸気口、前記第２の吸気口の開口面積のうち少なくとも前記第２の吸気口の開口面積を可変する構成としたものであり、１枚の開閉板によって複数の吸込口の風量調整ができるものである。
【００５２】
すなわち、前面化粧板を上下動させることで、第１の吸気口、第２の吸気口の開口面積のうち少なくとも第２の吸気口の開口面積を可変し、吸込口の風量調整ができるものである。つまり、上下動する前面化粧板の位置によって運転状態を目視で確認することができるものである。
【００５３】
これらの結果により、運転状態を目視で容易に確認できることで使用感の向上ができるものである。
【００５４】
従って、家庭用や事務所用などの、加湿機能付空気清浄装置として活用が期待されるものである。
【符号の説明】
【００５５】
１    吸気口
１ａ  第１の吸気口
１ｂ  第２の吸気口
２    排気口
３    本体ケース
４    空気清浄手段
４ａ  空気清浄フィルター
５    加湿手段
６    送風手段
７    前面化粧板
７ａ  鉄板部
８    駆動手段
８ａ  軸部
８ｂ  回動手段
８ｃ  磁石部
９    風向板
１０  着脱手段
【図１】
0005423189.tif 000002
【図２】
0005423189.tif 000003
【図３】
0005423189.tif 000004
【図４】
0005423189.tif 000005
【図５】
0005423189.tif 000006
【図６】
0005423189.tif 000007